(57)【特許請求の範囲】
【請求項１】
空気調和機を据付ける種々の窓サッシの上下高さによって縦方向の寸法を本体枠からスライド枠を引き伸ばす事で調節する据付枠に於いて、前記本体枠とスライド枠はアルミ押出し成型品にて形成し、前記本体枠を貫通してこの本体枠とスライド枠の間の隙間に高さ寸法Ｂが前記隙間の寸法Ａよりも稍大きい板バネ状のストッパ部を設けると共に前記ストッパ部の一端にストッパ部と略垂直なハンドルを設け、このハンドルの回転で前記本体枠とスライド枠の間にストッパ部が食い込み本体枠にスライド枠を固定する事を特徴とする空気調和機の窓据付装置。
【請求項２】
前記ハンドルの戻りを防止する係止部を前記本体枠に設けた事を特徴とする請求項１記載の空気調和機の窓据付装置。
【発明の詳細な説明】
【０００１】
【発明の属する技術分野】
この発明は窓取付型の一体式空気調和機の据付装置に関するものである。
【０００２】
【従来の技術】
従来よりこの種の空気調和機は図７及び図８に示すように、外壁ａの木製窓縁部ｂの内側に金属製の窓サッシｃが取り付けられている。そしてこの窓サッシｃに空気調和機を据え付けるため据付枠ｄを使用している。この据付枠ｄは窓の高さに応じて上下寸法が調節できるように空気調和機を取り付ける本体枠ｅとこの本体枠ｅに摺動可能に結合したスライド枠ｆで構成され、窓の高さに合わせてスライド枠ｆを引き伸ばしながらネジｇにて本体枠ｅとスライド枠ｆを固定した後、前記窓サッシｃの縁ｈを前記据付枠ｄの上面と下面に設けたフランジ部ｉで挟みネジｊにて固定していた。
【０００３】
【発明が解決しようとする課題】
しかしながら、この据付枠を建物の鴨居又は木製窓縁部ｂや敷居又は木製窓縁部ｂへ取付る作業は難しく、特に窓の高さに合わせてスライド枠ｆを引き伸ばしながらネジｇにて本体枠ｅとスライド枠ｆを固定する作業を一人で行った場合には本体枠ｅとスライド枠ｆを押さえながら片手でドライバーを使用してネジ止めをしなければならず難しい作業であり、据付作業に時間がかかる問題が有った。
【０００４】
【課題を解決するための手段】
この発明はこの点に着目し上記欠点を解決する為、空気調和機を据付ける種々の窓サッシの上下高さによって縦方向の寸法を本体枠からスライド枠を引き伸ばす事で調節する据付枠に於いて、前記本体枠とスライド枠はアルミ押出し成型品にて形成し、前記本体枠を貫通してこの本体枠とスライド枠の間の隙間に高さ寸法Ｂが前記隙間の寸法Ａよりも稍大きい板バネ状のストッパ部を設けると共に前記ストッパ部の一端にストッパ部と略垂直なハンドルを設け、このハンドルの回転で前記本体枠とスライド枠の間にストッパ部が食い込み本体枠にスライド枠を固定するようにしたものである。
又、前記ハンドルの戻りを防止する係止部を前記本体枠に設けたものである。
【０００５】
【発明の実施の形態】
以下この発明の実施の形態を図面をもとに説明すれば、１は建物の外壁で開口の木製窓縁部２の内側に金属製の窓サッシ３が取り付けられている。
前記窓サッシ３の鴨居部４はガラス戸（図示せず）を導き雨水の侵入を抑える上レール５や端部６が垂下され、敷居部７は下レール８や端部９が立ち上げられている。
【０００６】
１０は窓取付用の一体型空気調和機（図示せず）を据付ける据付枠で、空気調和機を取付ける本体枠１１と窓の高さに応じてこの本体枠１１より摺動自在に結合したスライド枠１２で構成されている。
前記本体枠１１はアルミ押出し成形品で構成され、上下に２本の横桟１１ａと左右に２本の縦桟１１ｂによってたて長方形に組立られている。
【０００７】
前記スライド枠１２は上側に１本の横桟１２ａと左右に２本の縦桟１２ｂをコの字形に組立て、この縦桟１２ｂを前記本体枠１１の縦桟１１ｂ内に上方からスライドして収納されている。
前記本体枠１１の縦桟１１ｂの上部にはスライド枠固定部１３を左右２セット設けている。
【０００８】
前記スライド枠固定部１３は本体枠１１の縦桟１１ｂ前後に備えた穴１４を貫通してこの縦桟１１ｂとスライド枠１２の縦桟１２ｂとの隙間Ａに、高さ寸法Ｂがこの隙間Ａより稍大きい板バネ状のストッパ部１５を挿入し、このストッパ部１５の前側の一端にストッパ部１５と略垂直なハンドル１６を設けている。
このハンドル１６は長さ約５ｃｍ直径約２ｍｍのロット棒で、回転させ本体枠１１設けた突起状の係止部１７を乗り越えれば、前記隙間Ａと高さ寸法Ｂの関係により、前記ストッパ部１５が捻れてアルミ製の縦桟１１ｂ・１２ｂに食い込みスライド枠１２が本体枠１１に固定されるものである。
【０００９】
また前記ハンドル１６を係止部１７を乗り越えて元に戻せば、前記ストッパ部１５が解除されて、簡単にスライド枠１２は本体枠１１内をスライドできるようになる。
【００１０】
前記スライド枠１２の横桟１２ａの上面１８後ろ側にはフランジ１９を立ち上げ、また前記上面１８のほぼ中央には扁平のサッシ固定装置２０が設けられネジ２１によって回動自在に固定されている。
前記サッシ固定装置２０はＬ字型の扁平板からなり円盤状の押圧部２２と板状で柔軟性を有するハンドル部２３を備え、底部２４に備えた凹部２５に前記上面１８から突出する多数の爪２６に係止して回動する事で、前記押圧部２２の側面とフランジ１９の間に窓サッシ３の端部６を徐々に押圧してロックするものであり、前記ハンドル部２３を押し上げれば、前記凹部２５から爪２６が外れる事でロックが解除されるものである。
【００１１】
また前記本体枠１１の横桟１１ａの下面２７にも前記上面１８とは上下反対方向ではあるが同様のサッシ固定装置２８とフランジ２９で端部９を挟んでロックしている。
３０は蛇腹板で前記スライド枠１２の伸縮にともなって伸縮し空気調和機上方の据付枠１０に開口ができることを防止するものである。
【００１２】
３１はネジにて前記サッシ固定装置２０・２８を回動自在に固定した回転軸で、ハンドル部２３の回転で押圧部２２の前記窓サッシ３端部６・９と接する側面までの距離が徐々に大きくなり端部６・９を徐々に締め付け固定するので、端部６・９の厚さが変わっても確実に固定する事ができ、端部６・９への締め付けによる傷の発生が少ないものである。
【００１３】
据付作業について説明すれば、本体枠１１の下面２７のフランジ２９を敷居部７の端部９の室外側側面に合わせ、スライド枠１２を本体枠１１から引き出して上方に徐々にスライドさせスライド枠１２上面１８に備えたフランジ１９を鴨居部４の端部６の室外側側面に合わせながら押し上げれば、スライド枠１２は本体枠１１から好適な寸法で引き出される。そして左右のハンドル１６を回転し係止部１７に係止すれば、スライド枠１２の縮み方向の動きは阻止される。
【００１４】
次に上下の横桟１１ａ・１２ａにそれぞれ備えるサッシ固定装置２０・２８のハンドル部２３を回転させれば、押圧部２２とフランジ１９・２９の間に端部６・９が挟まれロックされる。この時サッシ固定装置２０・２８の凹部２５に横桟１１ａ・１２ａの上面１８又は下面２７の爪２６がしっかりと噛み合いサッシ固定装置２０・２８の緩みを防止している。
【００１５】
また据付枠１０を取り外すには、空気調和機を本体枠１０から取り外してスライド枠１２上面１８のサッシ固定装置２０のハンドル部２３を上側に押し上げ凹部２５と爪２６の係合を外し、ハンドル部２３を据付け時と反対側に回転させれば上側のロックが解除される。同じように下側のサッシ固定装置２８のロックを解除する。
【００１６】
次に左右のスライド枠固定部１３のハンドル１６を係止部１７から解除すれば簡単にスライド枠１２を本体枠１１に収納できるものである。
このように据付作業や取外し作業が極めて簡単になり据付作業に要する時間も少なくなるものである。
【００１７】
【発明の効果】
以上のようにこの発明によれば、据付作業が極めて簡単になり据付作業に要する時間も少なくなるものである。
【図面の簡単な説明】
【図１】この発明一実施例の斜視図。
【図２】同図１の拡大Ａ−Ａ断面図。
【図３】同図２のＢ−Ｂ断面図。
【図４】同要部の拡大正面図。
【図５】同要部の斜視図。
【図６】同要部の拡大断面図。
【図７】従来例の斜視図。
【図８】同側面の断面図。
【符号の説明】
３  窓サッシ
１０  据付枠
１１  本体枠
１２  スライド枠
１５  ストッパ部
１６  ハンドル
１７  係止部
【図１】
0003930230.tif 000002
【図２】
0003930230.tif 000003
【図３】
0003930230.tif 000004
【図４】
0003930230.tif 000005
【図５】
0003930230.tif 000006
【図６】
0003930230.tif 000007
【図７】
0003930230.tif 000008
【図８】
0003930230.tif 000009